【事件の表示】
　平成１０年特許願第２１６１２６号「画像入力装置及び画像入力装置の制御方法、情報処理システム、並びにコンピュータ読み取り可能な記憶媒体」拒絶査定不服審判事件〔平成１２年　２月１８日出願公開、特開２０００−　４７７７１〕について、次のとおり審決する。
【結　論】
　本件審判の請求は、成り立たない。
【理　由】
１．手続きの経緯
　本願は、平成１０年７月３０日の出願であって、平成１８年４月７日付けで拒絶査定がなされたところ、これに対して同年５月１５日に拒絶査定に対する審判請求がなされるとともに、同年６月１４日に手続補正書が提出されたものである。
　
２．補正却下の決定
　平成１８年６月１４日に提出された手続補正書による補正の却下の決定
　
（１）［補正却下の決定の結論］
　平成１８年６月１４日に提出された手続補正書による補正（以下、「本件補正」という。）を却下する。
　
（２）［補正却下の決定の理由］
（ａ）補正の内容
　本件補正によると、その特許請求の範囲の請求項１は、
「画像入力装置であって、
　画像を読み取る読取手段と、
　接続された複数の画像出力装置夫々の機能を示す機器情報を予め取得する取得手段と、
　前記取得手段によって予め取得した機器情報を記憶する記憶手段と、
　前記記憶手段に記憶されている前記予め取得した機器情報に対応する複数の画像出力装置の中から、前記読取手段によって読み取られた画像を出力させる画像出力装置を選択する選択手段と、
　前記選択手段によって選択された画像出力装置と前記画像入力装置との組み合わせによって実現可能な機能を、前記記憶手段に記憶されている前記予め取得した機器情報に基づいて表示する表示手段と、
　を有し、
前記取得手段は、前記選択手段による選択を行う前に前記機器情報を予め取得し、前記表示手段は、前記選択手段によって選択された画像出力装置と前記画像入力装置との組み合わせによって実現可能な機能を、前記記憶手段に記憶されている前記予め取得した機器情報に基づいてユーザによって指定可能に第一の画面に表示し、該第一の画面に表示された機能がユーザによって指定されることに応じて、該第一の画面に表示された機能に係る詳細な設定を行う為の第二の画面を、前記記憶手段に記憶されている前記予め取得した機器情報に基づいて表示することを特徴とする画像入力装置。」
と補正されている。　
　
　上記補正は、補正前の請求項１に記載した発明を特定するために必要な事項である「前記選択手段によって選択された画像出力装置と前記画像入力装置との組み合わせによって実現可能な機能を、前記記憶手段に記憶されている前記予め取得した機器情報に基づいて表示する表示手段」を「前記表示手段は、前記選択手段によって選択された画像出力装置と前記画像入力装置との組み合わせによって実現可能な機能を、前記記憶手段に記憶されている前記予め取得した機器情報に基づいてユーザによって指定可能に第一の画面に表示し、該第一の画面に表示された機能がユーザによって指定されることに応じて、該第一の画面に表示された機能に係る詳細な設定を行う為の第二の画面を、前記記憶手段に記憶されている前記予め取得した機器情報に基づいて表示する」と限定するものであり、本件補正は、特許法第１７条の２第４項第２号に規定する特許請求の範囲の減縮を目的とするものに該当するといえる。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　
（ｂ）引用例
　原査定の拒絶の理由に引用された特開平１０−４２０９０号公報（以下、「引用例」という。）には、図とともに、以下のような記載がある。
（イ）「【０００８】
【課題を解決するための手段】　本発明はこのような課題を解決するために成された画像読取装置である。すなわち、本発明は、ネットワークに接続された画像読取装置であって、原稿の画像を読み取る読取手段と、読取手段によって読み取った画像をネットワークを介して送る相手先の装置を決定する決定手段と、決定手段によって決定された装置に基づき、画像に対する装置の処理項目を示す項目情報を入力する入力手段と、入力手段によって入力された項目情報と処理項目とを表示部に表示する表示手段とを備えている。
【０００９】このような画像読取装置では、決定手段によって決定された装置に対応した画像の処理項目を表示手段に表示するため、オペレータは入力手段を用いて画像読取装置側だけで原稿の読取操作や装置での各種処理に対する設定を行うことができるようになる。
【００１０】
【発明の実施の形態】以下に、本発明の画像読取装置における実施の形態を図に基づいて説明する。図１は、本実施形態における画像読取装置を説明するブロック図である。すなわち、本実施形態の画像読取装置１は、画像入力部２、表示／入力部３、ＵＩ（ユーザインターフェース）画面情報格納部４、外部装置情報格納部５、主制御部６、ホストインターフェース７、画像データ変換部８を備えており、ネットワークＮを介してコンピュータ等から成るホスト９やプリンタ１０が接続された構成となっている。」（段落【０００８】〜【００１０】）
　
（ロ）「【００１７】次に、図１に示すＵＩ画面情報格納部４はメモリまたはハードディスク等の記憶手段から構成され、主制御部６から表示／入力部３へ通知される先に説明したＵＩ画面情報を、接続される装置の種類（プリンタやパーソナルコンピュータ等）に応じて複数組格納するものである。
【００１８】また、外部装置情報格納部５は、複数組の外部装置情報を格納する不揮発性のメモリである。外部装置情報は各外部装置毎に「装置名」、「ＩＰアドレス」、「ＭＡＣアドレス」で構成される。この外部装置情報は、接続外部装置選択時に表示／入力部３に表示される「接続外部装置選択画面」の「接続外部装置の追加」を選択することにより、外部装置の上記二項目の入力が促され、これに従い入力することによって外部装置情報格納部５に記憶される。
【００１９】主制御部６は、ＵＩ画面情報格納部４ないのＵＩ画面情報と、ホストインターフェース７を介してホスト９およびプリンタ１０から得られる機能情報により、ＵＩ画面情報の更新を行い表示／入力部３への通知を行う。
【００２０】図３は機能情報を示す図であり、（ａ）はプリンタの場合、（ｂ）はホストの場合を示している。例えば、図３（ａ）に示すプリンタの場合には、機器の種類、用紙サイズ、拡大縮小情報、両面印字情報、搭載ＰＤＬ（ページ記述言語）情報が格納されている。また、図３（ｂ）に示すホストの場合には、機器の種類、格納可能サイズ、ファイル名の長さ、拡張子名の長さが格納されている。」（段落【００１７】〜【００２０】）
　
（ハ）「【００２４】画像データ変換部８での変換後のデータフォーマットは主制御部６より指示され、また変換後のデータはホストインターフェース７によりネットワークＮを介してホスト９やプリンタ１０へ通知される。
【００２５】このような画像読取装置１にネットワークＮを介して接続されるホスト９やプリンタ１０は、画像読取装置１から通知される「機能情報要求」、「設定変更要求」、「処理要求」を受信し、それぞれの要求と続けて送られてくるデータ列に従い、画像読取装置１への図３に示すような機能情報の通知や、データ列に従って設定の変更、およびデータ列の処理（ホスト９ならばデータ列の格納処理、プリンタ１０ならば印字処理）を行う。」（段落【００２４】、【００２５】）
　
（ニ）「【００２７】先ず、図４のステップＳ１に示すように、表示／入力部３より接続先の外部装置（ホスト９またはプリンタ１０等）を選択し、選択された外部装置に対して主制御部６が機能情報要求を通知する。
【００２８】外部装置の選択時には、主制御部６がＵＩ画面情報格納部４に格納されている「接続外部装置選択画面」のＵＩ画面情報と、外部装置情報格納部５に格納されている外部装置情報（「装置名」、「ＩＰアドレス」、「ＭＡＣアドレス」から構成されるもの）とから外部装置を選択する操作画面を構成し、表示／入力部３に通知する。
【００２９】また、ＵＩ画面情報を受信した表示／入力部３は、初めにＵＩ画面情報内の表示イメージデータを液晶画面上に表示し、次に領域属性情報の入力可否の項目が「０」（入力不可能）となっている領域を白黒反転表示する。その後、表示／入力部３は、タッチセンサーからの入力座標と、領域属性情報の入力可否の項目が「１」（入力可能）となっている領域を照らし合わせ、領域内への操作を感知した場合にはその領域名を主制御部６へ通知する。
【００３０】領域名（外部装置名に一致するもの）を受信した主制御部６は、その外部装置に対して対応する「ＩＰアドレス」および「ＭＡＣアドレス」を外部装置情報格納部４内から検索し、これに従いホストインターフェース７を介して「機器情報要求」に対応するコマンドを外部装置（ホスト９またはプリンタ１０）へ通知する。
【００３１】「機器情報要求」に対応するコマンドを受信した外部装置は、図５のステップＳ１１に示すように、図３に示す所定の項目（括弧内に対応する領域名を記載）とその値、または取り得る値の範囲を画像読取装置１に対して通知する。
【００３２】次に、図４のステップＳ２に示すように、主制御部６はホストインターフェース７を介して機器情報を受信し、機能情報内の機器の種類（ｃｌａｓｓ）がホスト（ＣＯＭＰＵＴＥＲ）かプリンタ（ＰＲＩＮＴＥＲ）であるかを判別し、対応するＵＩ画面情報格納部４内のＵＩ画面情報を読み込む。
【００３３】その後、領域名と対応する機器情報エントリの値をビットマップ変換し、ＵＩ画面情報内の表示イメージデータと合成し、領域属性情報と一緒に表示／入力部３へ通知する。
【００３４】次にステップＳ３では、表示／入力部３は通知されたＵＩ画面情報に従い、液晶画面上にＵＩ画面を表示し、合わせて入力不可能領域（入力可否欄の値が「０」の領域）の表示を白黒反転する。また、液晶画面上のタッチセンサーからの入力を監視する。
【００３５】図６は表示／入力部の画面表示例を示す図で、（ａ）はプリンタに接続した場合、（ｂ）はホストに接続した場合を示している。例えば、図６（ａ）に示すように、プリンタにおける「用紙サイズ選択」領域では、タッチセンサーによって選択された用紙サイズに「＞」が表示される。また、この「用紙サイズ選択」における「Ａ３」および「Ａ４Ｒ」は、ＵＩ画面情報の入力可否欄が「０」となっており、選択できないことを示す白黒反転表示となっている。」（段落【００２７】〜【００３４】）
　
（ホ）「【００４４】このような処理によって、オペレータはネットワークＮを介して接続され、画像読取装置１とホスト９およびプリンタ１０とが離れた位置に設置されている場合であっても、原稿画像の読取、格納処理や複写処理を画像読取装置１側だけで行うことができるようになる。また、接続される外部装置で共通の操作を行うものは、表示／入力部３の液晶表示の同じ位置に表示されることから、種類の異なる外部装置がネットワークＮに接続されていても、オペレータの操作ミスを防止できるようになる。
【００４５】また、外部装置の種類に対応してＵＩ画面情報が画像読取装置１側に格納されていることから、ネットワークＮを介してこの情報を伝送する場合と比べてネットワークＮの伝送効率を低下させることなく処理を行うことができる。
【００４６】
【発明の効果】以上説明したように、本発明の画像読取装置によれば次のような効果がある。すなわち、ネットワークを介して接続された外部装置を画像読取装置側で選択することで、処理の目的に応じた視認性の高い操作画面の表示が可能となり、表示された操作画面に対して設定および操作を行うことで、ネットワーク接続された遠隔地の外部装置の設定や操作を実機と同じ感覚で行うことが可能となる。」（段落【００４４】〜【００４６】）
　
　以上の記載によれば、この引用例には以下のような発明（以下、「引用例発明」という。）が開示されていると認められる。
　
「ネットワークを介して複数の外部装置（ホスト、プリンタ等）と接続された画像読取装置であって、
　原稿画像の読取手段と、
　外部装置情報格納部に格納されている外部装置情報（「装置名」、「ＩＰアドレス」、「ＭＡＣアドレス」から構成されるもの）に対応する複数の外部装置の中から、前記読取手段によって読み取られた画像情報を処理する外部装置を選択する選択手段と、
　選択された外部装置へ機能情報要求を通知し、外部装置から通知された機能情報（選択された外部装置がプリンタの場合には、機器の種類、用紙サイズ、拡大縮小情報、両面印字情報、搭載ＰＤＬ（ページ記述言語）情報、選択された外部装置がホストの場合には、機器の種類、格納可能サイズ、ファイル名の長さ、拡張子名の長さ）を受信する手段と、
　受信した機能情報により、ＵＩ画面情報格納部のＵＩ画面情報の更新を行う手段と、
　前記選択手段によって選択された外部装置での画像の処理に対するＵＩ画面を、前記更新したＵＩ画面情報に基づいて表示する表示手段と、
　を有し、
　前記表示手段は、前記選択手段によって選択された外部装置での画像の処理に対するＵＩ画面を、前記更新したＵＩ画面情報に基づいてユーザによって指定可能に表示するものであり、選択された外部装置がプリンタである場合、例えば、プリンタにおける「用紙サイズ選択」領域では、タッチセンサーによって選択された用紙サイズに「＞」が表示され、「用紙サイズ選択」における「Ａ３」および「Ａ４Ｒ」は、ＵＩ画面情報の入力可否欄が「０」となっており、選択できないことを示す白黒反転表示することを特徴とする画像読取装置。」　
　
（ｃ）対　比
　本願補正発明と引用例発明とを対比する。
　引用例発明の「画像読取装置」及び「原稿画像の読取手段」は、それぞれ本願補正発明の「画像入力装置」及び「画像を読み取る読取手段」に相当する。
　引用例発明の「外部装置（ホスト、プリンタ等）」は、ホストもディスプレイ等の画像出力手段を備えているのは明らかであるから、本願補正発明の「接続された複数の画像出力装置」に相当する。
　引用例発明の「選択された外部装置へ機能情報要求を通知し、外部装置から通知された機能情報（選択された外部装置がプリンタの場合には、機器の種類、用紙サイズ、拡大縮小情報、両面印字情報、搭載ＰＤＬ（ページ記述言語）情報、選択された外部装置がホストの場合には、機器の種類、格納可能サイズ、ファイル名の長さ、拡張子名の長さ）を受信する手段」は、本願補正発明の「接続された複数の画像出力装置夫々の機能を示す機器情報を予め取得する取得手段」と「接続された画像出力装置の機能を示す機器情報を取得する取得手段」を有する点で一致する。
　引用例発明は、受信した機能情報により、ＵＩ画面情報格納部のＵＩ画面情報の更新を行うから、引用例発明の「ＵＩ画面情報格納部」は、本願補正発明の「前記取得手段によって予め取得した機器情報を記憶する記憶手段」と、「前記取得手段によって取得した機器情報を記憶する記憶手段」である点で一致するといえる。
　引用例発明の「外部装置情報格納部に格納されている外部装置情報（「装置名」、「ＩＰアドレス」、「ＭＡＣアドレス」から構成されるもの）に対応する複数の外部装置の中から、前記読取手段によって読み取られた画像情報を処理する外部装置を選択する選択手段」は、本願補正発明の「前記記憶手段に記憶されている前記予め取得した機器情報に対応する複数の画像出力装置の中から、前記読取手段によって読み取られた画像を出力させる画像出力装置を選択する選択手段」と「複数の画像出力装置の中から、前記読取手段によって読み取られた画像を出力させる画像出力装置を選択する選択手段」である点で対応する。
　引用例発明の「前記選択手段によって選択された外部装置での画像の処理に対するＵＩ画面を、前記更新したＵＩ画面情報に基づいてユーザによって指定可能に表示する」表示手段は、本願補正発明の「前記選択手段によって選択された画像出力装置と前記画像入力装置との組み合わせによって実現可能な機能を、前記記憶手段に記憶されている前記予め取得した機器情報に基づいてユーザによって指定可能に第一の画面に表示し、該第一の画面に表示された機能がユーザによって指定されることに応じて、該第一の画面に表示された機能に係る詳細な設定を行う為の第二の画面を、前記記憶手段に記憶されている前記予め取得した機器情報に基づいて表示する」表示手段と「前記選択手段によって選択された画像出力装置によって実現可能な機能を、取得した機器情報に基づいてユーザによって指定可能に表示する」表示手段である点で対応するといえる。
　
　そうすると、両者は、
「画像入力装置であって、
　画像を読み取る読取手段と、
　接続された画像出力装置の機能を示す機器情報を取得する取得手段と、
　前記取得手段によって取得した機器情報を記憶する記憶手段と、
　複数の画像出力装置の中から、前記読取手段によって読み取られた画像を出力させる画像出力装置を選択する選択手段と、
　前記選択手段によって選択された画像出力装置によって実現可能な機能を、前記記憶手段に記憶されている前記取得した機器情報に基づいて表示する表示手段と、
　を有し、
　前記取得手段は、前記機器情報を取得し、前記表示手段は、前記選択手段によって選択された画像出力装置によって実現可能な機能を、前記記憶手段に記憶されている前記取得した機器情報に基づいてユーザによって指定可能に画面に表示することを特徴とする画像入力装置。」
で一致するものであり、次の（１）、（２）の点で相違する。
　
（１）本願補正発明は、選択手段による選択を行う前に、取得手段が接続された複数の画像出力装置夫々の機能を示す機器情報を予め取得し、記憶手段が予め取得した機器情報を記憶し、選択手段が記憶されている前記予め取得した機器情報に対応する複数の画像出力装置の中から画像出力装置を選択し、表示手段が選択された画像出力装置と前記画像入力装置との組み合わせによって実現可能な機能を記憶されている前記予め取得した機器情報に基づいて表示するのに対し、引用例発明は、選択手段が外部装置情報格納部に格納されている外部装置情報（「装置名」、「ＩＰアドレス」、「ＭＡＣアドレス」から構成されるもの）に対応する複数の外部装置の中から、外部装置を選択し、取得手段が選択された外部装置の機能情報を取得し、記憶手段が取得した機能情報でＵＩ画面情報の更新を行い、表示手段が選択された外部装置での画像の処理に対するＵＩ画面を更新したＵＩ画面情報に基づいて表示する点。
　
（２）本願補正発明は、選択された画像出力装置と画像入力装置との組み合わせによって実現可能な機能を、ユーザによって指定可能に第一の画面に表示し、該第一の画面に表示された機能がユーザによって指定されることに応じて、該第一の画面に表示された機能に係る詳細な設定を行う為の第二の画面を表示するのに対し、引用例発明は、選択手段によって選択された外部装置での画像の処理に対するＵＩ画面をユーザによって指定可能に表示する点。
　
（ｄ）当審の判断
相違点（１）について
　ホストや画像入力装置において、ネットワークを介して接続された複数の画像出力装置夫々の機能情報を予め収集し、該予め収集した複数の画像出力装置夫々の機能情報を最適な画像出力装置の選択に用いることは、本出願前周知の技術（特開平９−１９０３１４号公報段落【０００８】，【００３９】、特開平９−１１４６１５号公報段落【０００９】〜【００１１】，【００１３】、特開平９−１９８２１１号公報段落【０００９】，【００４８】、特開平１０−１４７０４３号公報【０００８】参照）である。
　このような周知技術を引用例発明に適用し、選択手段による選択を行う前に、接続された複数の画像出力装置夫々の機能を示す機器情報を予め取得するようにし、該予め取得した機器情報を記憶して画像出力装置を選択するための情報に用いることは容易になし得ることである。
　そして、引用例発明は、前記選択手段によって選択された外部装置での画像の処理に対するＵＩ画面を、前記更新したＵＩ画面情報に基づいてユーザによって指定可能に表示するものであるが、画像読取装置において表示される外部装置での画像の処理に対するＵＩ画面は、当該画像読取装置で読み取った画像の格納処理や複写処理に関する設定項目であるから、引用例発明において表示するＵＩ画面は、「選択された画像出力装置と前記画像入力装置との組み合わせによって実現可能な機能」といえるものである。
　また、引用例発明を複数の画像出力装置夫々の機能を示す機器情報を予め取得して記憶するようにすれば、画像出力装置を選択したときに新たに当該機器情報を取得する必要がないことは明らかであり、選択された画像出力装置での画像の処理に対するＵＩ画面を表示するのに予め取得して記憶された機器情報を用いることも当業者が適宜なし得ることである。
　
相違点（２）について
　引用例発明においては、プリンタを選択した場合のＵＩ画面に、プリンタの種類、拡大／縮小、用紙サイズ選択等の複数の項目を一つの画面で表示しているが、プリンタやコピー機のＵＩ画面を階層的な構造とし、第一の画面に表示された機能がユーザによって指定されることに応じて、該第一の画面に表示された機能に係る詳細な設定を行う為の第二の画面を表示することは、周知文献を示すまでもなく本出願前周知である。
　したがって、引用例発明において、選択された画像出力装置と画像入力装置との組み合わせによって実現可能な機能を、ユーザによって指定可能に第一の画面に表示し、該第一の画面に表示された機能がユーザによって指定されることに応じて、該第一の画面に表示された機能に係る詳細な設定を行う為の第二の画面を表示するようにすることは、必要に応じて当業者が適宜なし得る設計事項である。
　
　そして、本願補正発明により奏される効果は当業者であれば引用例発明及び周知技術から予想できる範囲内のものである。
　
（ｅ）結論
　そうすると、本願補正発明は、引用例発明及び周知技術に基づいて当業者が容易に発明をすることができたものであるから、特許法第２９条第２項の規定により、特許出願の際独立して特許を受けることができないものである。
　したがって、本件補正は、平成１８年法律第５５号改正附則第３条第１項によりなお従前の例とされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明
　上記のとおり、上記本件補正は却下されたので、本願請求項１に係る発明（以下、「本願発明」という。）は、平成１７年１０月１４日に提出された手続補正書の特許請求の範囲の請求項１に記載された事項により特定される、以下のとおりのものである。
　
「画像入力装置であって、
　画像を読み取る読取手段と、
　接続された複数の画像出力装置夫々の機能を示す機器情報を予め取得する取得手段と、
　前記取得手段によって予め取得した機器情報を記憶する記憶手段と、
　前記記憶手段に前記予め取得した機器情報が記憶されている複数の画像出力装置の中から、前記読取手段によって読み取られた画像を出力させる画像出力装置を選択する選択手段と、
　前記選択手段によって選択された画像出力装置と前記画像入力装置との組み合わせによって実現可能な機能を、前記記憶手段に記憶されている前記予め取得した機器情報に基づいて表示する表示手段と、
　を有し、
前記取得手段は、前記選択手段による選択を行う前に前記機器情報を予め取得することを特徴とする画像入力装置。」
　
４．引用例
　原査定の拒絶理由に引用された引用例、及びその記載事項は、前記「２．（２）（ｂ）」に記載したとおりである。
　
５．対比
　本願発明は、前記２．で検討した本願補正発明の「前記表示手段は、前記選択手段によって選択された画像出力装置と前記画像入力装置との組み合わせによって実現可能な機能を、前記記憶手段に記憶されている前記予め取得した機器情報に基づいてユーザによって指定可能に第一の画面に表示し、該第一の画面に表示された機能がユーザによって指定されることに応じて、該第一の画面に表示された機能に係る詳細な設定を行う為の第二の画面を、前記記憶手段に記憶されている前記予め取得した機器情報に基づいて表示する」という限定を省き、「前記選択手段によって選択された画像出力装置と前記画像入力装置との組み合わせによって実現可能な機能を、前記記憶手段に記憶されている前記予め取得した機器情報に基づいて表示する」とするものである。
　そうすると、本願発明の構成要件を全て含み、さらに限定したものに相当する本願補正発明が前記２．に記載したとおり、引用例発明及び周知技術に基づいて、当業者が容易に発明をすることができたものであるから、本願発明も同様の理由により、引用例発明及び周知技術に基づいて、当業者が容易に発明をすることができたものである。
　
６．むすび
　以上のとおり、本願請求項１に係る発明は、引用例発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。